(57)【要約】【課題】ケースの本体部への袖部の装着の有無による構成上の差異を少なくすること。【解決手段】電磁弁４０のボディ４１０の通路４１２へのストレーナ４２２の挿脱を、通路４１２を便器１２の幅方向に延在させて一方側の開口から行う。【選択図】      図８
2004150122.tif 000002
【特許請求の範囲】
【請求項１】
便器の後部上側に固定され且つ便器幅方向に延在するケース内に、電磁弁と、ヒータにより加熱された温水が定温にて貯溜される温水タンクと、ノズルとを設け、前記電磁弁を介して前記温水タンク内に水圧が供給されると、前記温水タンクから押し出された温水が前記便器内に変移した前記ノズルから噴射されるようにしてなる温水洗浄便座装置において、前記電磁弁を、ボディと、前記ケースと平行に延在する軸芯を持つように前記ボディ内に形成された通路と、前記通路と連通し且つ前記水圧が供給される給水口と、前記ボディの一方側から前記通路内に挿入されて前記給水口の軸芯と交叉するストレーナ付のキャップと、前記ボディの他方側に設けられ、前記ストレーナを介した前記給水口と前記温水タンクとの間の連通を確立・遮断する作動部とから構成してなる、温水洗浄便座装置。
【発明の詳細な説明】
【０００１】
【発明の属する技術分野】
本発明は、温水洗浄便座装置に関する。
【０００２】
【従来の技術】
周知のように、従来の温水洗浄便座装置は、便器の後部上側に固定され且つ便器幅方向に延在するケース内に、電磁弁と、ヒータにより加熱された温水が定温にて貯溜される温水タンクと、ノズルとを備え、前記電磁弁を介して前記温水タンク内に水圧が供給されると、前記温水タンクから押し出された温水が前記便器内に変移した前記ノズルから噴射されるようになっている。しかして、電磁弁のボディがケースの端部から前方に延在する袖部内に延出しており、このボディの延出部内にはストレーナが装架されており、このストレーナの部分に、前記した水圧が供給されるようになっている。袖部内には、温水洗浄便座装置の操作機構が装着されている（例えば、特許文献１参照）。
【０００３】
他方、便器が設置されるトイレ空間が狭小であっても、この便器において温水洗浄ができるようにするために、袖部を無くした温水洗浄便座装置が提供されており、この装置においては、ケースの下側且つ便器の後方に温水タンクが設置されている（例えば、特許文献２参照）。
【０００４】
【特許文献１】
特開２００１−８７１６９号公報  （第１〜４頁、図４）
【０００５】
【特許文献２】
特開２００１−３４８９３８号公報  （第１〜３頁、図１）
【０００６】
【発明が解決しようとする課題】
ところが、前記した２つの温水洗浄便座装置は、基本的機能は同じであるが、構成が、袖部の有無に止まらず、大きく異なっており、生産管理や原価低減の観点から、袖部のある温水洗浄便座装置と袖部のない温水洗浄便座装置との部品共通化が要請される。
【０００７】
それゆえ、本発明は、かような要請に応えることを、その技術的課題とする。
【０００８】
【課題を解決するための手段】
上記した課題を解決するために講じた技術的手段は、便器の後部上側に固定され且つ便器幅方向に延在するケース内に、電磁弁と、ヒータにより加熱された温水が定温にて貯溜される温水タンクと、ノズルとを設け、前記電磁弁を介して前記温水タンク内に水圧が供給されると、前記温水タンクから押し出された温水が前記便器内に変移した前記ノズルから噴射されるようにしてなる温水洗浄便座装置において、前記電磁弁を、ボディと、前記ケースと平行に延在する軸芯を持つように前記ボディ内に形成された通路と、前記通路と連通し且つ前記水圧が供給される給水口と、前記ボディの一方側から前記通路内に挿入されて前記給水口の軸芯と交叉するストレーナ付のキャップと、前記ボディの他方側に設けられ、前記ストレーナを介した前記給水口と前記温水タンクとの間の連通を確立・遮断する作動部とから構成したことである。
【０００９】
【発明の実施の形態】
図１〜図１０に依拠して、本発明にかかる温水洗浄便座装置の一実施形態について説明する。
【００１０】
温水洗浄便座装置１０は、便器１２の後部上面に固定される本体部１４Ａ及び本体部１４Ａの一端部から前方に延在する袖部１４Ｂからなるケース１４を備える。ケース１４の袖部１４Ｂ内には、第１制御機構２０が配設されており、また、ケース１４の本体部１４Ａ内には、第２制御機構３０、電磁弁４０、ヒータ５２により加熱された温水を貯溜する温水タンク５０及びノズル機構６０が配設されている。
【００１１】
ケース１４の本体部１４Ａの内部の一方側に配置される電磁弁４０は、ホース７２を介して給水源７０と、ホース４４を介して温水タンク５０と、夫々、連結されており、第１制御機構２０の作用により、電磁弁４０が開かれると、温水タンク５０内の温水を、切換弁６６を介して肛門洗浄用ノズル６２（ビデ洗浄ノズル６４）に供給され、肛門洗浄用ノズル６２（ビデ洗浄ノズル６４）を便器１２内に伸長し、この温水が、周知のように、肛門洗浄用ノズル６２（ビデ洗浄ノズル６４）から噴射されて、使用者の肛門（ビデ）を洗浄する。何れのノズルに温水が供給されるかは、切換弁６６の作用位置による。
【００１２】
温水タンク５０は、ケース１４の本体部１４Ａの内部の他方側に配置される。
温水タンク５０内の水はヒータ５２により加熱される。水温は、温度センサ５４により常時、検知されており、当該温度が信号として、第２制御機構３０のＣＰＵ３２に送られる。ＣＰＵ３２は水温が所定値に達したら、トライアック３４を断続させて電源９０からヒータ２２への通電制御をなし、常時、水温を所定値に維持するようになっている。
【００１３】
上記したように、温水タンク５０は、ホース４４、電磁弁４０及びホース７２を介して給水源７０に流体的に連結されている。給水源７０と電磁弁４０とを連結するホース７２は、一端部が給水源７０に、他端部が、後述するように、電磁弁４０のボディ４１０の給水口４１４に接続されている（図７・図８）。ホース７２は，温水タンク５０の給水部となっている。
【００１４】
図４に明瞭に示されるように、温水タンク５０の右側にはドレインポート１００が形成されている。このドレインポート１００には、弁（図示略）付きの逆Ｌ型のドレインパイプ１１０（図２に示される）の一方端部が接続されている。このドレインパイプ１１０は、ケース１４の本体部１４Ａの底壁から床面に向かって延出する。ドレインパイプ１１０の他端部は、床面から所定の高さに位置しており、その下にバケツ（図示略）を配置できるようになっている。ドレインパイプ１１０の他端部の下にバケツを配置したのち、弁を開けば、温水タンク５０内の水が排出される。しかして、ドレインパイプ１１０の他端部はケース１４の本体部１４Ａの右側に位置しており、ケース１４の本体部１４Ａの左側に位置する給水用のパイプ７２とは反対側に設けたので、水抜きの際に、ドレインドレインパイプ１１０の他端部の下側に配置されるバケツが給水用のパイプ７２や電源コード（図示略）と干渉することがなく、水抜きが容易に行える。
【００１５】
温水タンク５０は、２つの部分５０Ａ・５０Ｂの開口フランジ部５０Ｘ・５０Ｙを相互に溶着して形成されるが、２つの部分５０Ａ・５０Ｂの接合部つまり相互溶着された開口フランジ部５０Ｘ・５０Ｙにより囲まれる面が鉛直方向に延在している。かような構成によりもたらされるメリットは、次の通りである。すなわち、温水タンク５０を構成する部分５０Ａ（５０Ｂ）は、型成型されるので、開口フランジ部５０Ｘ（５０Ｙ）全体を投影した場合（開口フランジ部５０Ｘ（５０Ｙ）により囲まれる部位を直角方向から投影した場合）、開口フランジ部５０Ｘ（５０Ｙ）において、投影面積が最大となる。従って、部分５０Ａ（５０Ｂ）の形状を、ケース１４の内部形状やケース１４内部に収容される部品の形状・配置態様に応じて、縮減方向に変更して、デッドスペースを最小限にすることができる。例えば、ケース１４の上面が前方に傾斜している場合は、部分５０Ａの対向部分を前方に傾斜するようにすることができる。
【００１６】
第２制御機構３０のＣＰＵ３２、トライアック３４及び他の電子素子３６は、基板ケース８０に収容された基板３８上に固定されている。トライアック３４及び他の電子素子３６を架橋する放熱板８２は、断面コ状をなしており、このコ状部分にて、ケース１４の内部の一方側から他方側に延在して電磁弁４０と温水タンク５０を連結するホース４４が挟持されている。しかして、トライアック３４並びにＣＰＵ３２及び他の電子素子３６は、夫々、摂氏６０度及び４０度の発熱をなすので、この熱が、温水タンク５０内に供給される水に放熱される。かくして、温水タンク５０内に圧送される水は冷水ではなく、所定温度にまで高められているので、温水タンク５０から吐出されてノズル６２（６４）から噴射される温水温度の低下時間が早くならず、使用者に不快感を与えることがない。また、冷水がホース４４を通過することにより内外温度差により惹起される結露の危惧が払拭され、結露によりもたらされる電子素子類への悪影響を防止できる。
【００１７】
図７及び図８に依拠して、電磁弁４０について詳細に説明する。
【００１８】
電磁弁４０は、樹脂製のボディ４１０を備える。このボディ４１０内には、ケース１４の本体部１４Ａと平行に延在する軸芯を持つ通路４１２が形成される。ボディ４１０には、また、通路４１２と連通し且つホース７２が連結されて水圧が供給される給水口４１４が形成される。通路４１２の一方側の開口からは、キャップ４２０と一体のストレーナ４２２が挿脱衣自在に嵌入されている。ストレーナ４２２は、給水口４１４の軸芯と交叉する。つまり、ホース７２から給水口４１４に圧送された水は、ストレーナ４２２を通過して、通路４１２の他方側にの作動部４３０に至る。水はストレーナ２２を通過する過程で、異物等がろ過される。しかして、作動部４３０は、周知の電磁弁機構として構成されており、ストレーナ４２２を介して、給水口４１４と温水タンク５０との間の連通を確立・遮断する。
【００１９】
図８に示すように、ストレーナ４２２と一体のキャップ４２０は、ストレーナ４２２の通路４１２への嵌着に伴い、通路４１２の一方側の開口を封止する。しかして、キャップ４２０は、ケース１４の袖部１４Ｂの一方側壁１４ＢＬから少しだけ外部に突出しており、袖部１４Ｂの外からキャップ４２０を操作することにより、ストレーナ２２の通路４１２への挿脱を外部から行えるようになっている。つまり、電磁弁４０のボディ４１０の通路４１２へのストレーナ４２２の挿脱を、便器２の幅方向に延在する通路４１２の一方側の開口から容易に行うことができる。
【００２０】
図８に示すように、電磁弁４０のボディ４１０の給水口４１４は、ケース１４のベースプレート１４Ｈを、袖部１４Ｂ側において、下方向に鉛直方向に突出している、袖部１４Ｂの外側において、ホース７２と接続される。
【００２１】
電磁弁４０のボディ４１０の通路４１２を、便器２の幅方向に延在させる構成を採用することにより、電磁弁４０のボディ４１０の通路４１２へのストレーナ４２２の挿脱を容易に行えるというメリットに加えて、別のメリットもある。すなわち、図９及び図１０に示すように、通路４１２へストレーナ４２２が嵌着されたときに、ボディ４１０の一方側から外部に突出しないように、ストレーナ４２２と一体のキャップ４２８の長さを調整すれば、ケース１４の袖部１４Ｂを無くしたときの、ケース１４の本体部１４Ａの一方側壁１４ＡＬ内に収めることができる。したがって、袖部１４Ｂを無くした構成を、容易に採用することができる。
【００２２】
以上、本発明の実施の形態について説明したが、本発明は上述した実施の形態に限定される意図はなく、本発明の趣旨に沿った形態の温水洗浄便座装置であれば、どのようなものでもよい。
【００２３】
【発明の効果】
請求項１の発明によれば、電磁弁のボディの通路へのストレーナの挿脱を、通路を便器の幅方向に延在させて一方側の開口から行うようにしたので、電磁弁のボディの位置を変えることなく、ストレーナと一体のキャップの長さを調整するだけで、本体部への袖部への装着の有無への対応が可能となる。
【図面の簡単な説明】
【図１】本発明にかかる温水洗浄便座装置の一実施態様の説明用の一方側から見た斜視図である。
【図２】図１の温水洗浄便座装置の他方側から見た斜視図である。
【図３】図１の温水洗浄便座装置のブロック図である。
【図４】図１の温水洗浄便座装置のケースの内部を示す一方側から見た斜視図である。
【図５】図１の温水洗浄便座装置のケースの内部を示す他方側から見た斜視図である。
【図６】ケース内におけるホースの保持態様を説明する図である。
【図７】図４において部分的に表示される電磁弁の全体斜視図である。
【図８】図７にて示される電磁弁のボディの一部軸方向断面図である。
【図９】袖部がないケース内に設置される電磁弁の全体斜視図である。
【図１０】図９にて示される電磁弁のボディの一部軸方向断面図である。
【符号の説明】
１２・・・便器
１４・・・ケース
３８・・・基板
４０・・・電磁弁
４２・・・給水部
４４・・・ホース
５０・・・温水タンク
５２・・・ヒータ
１００・・ドレインポート（ドレイン部）
１１０・・ドレイン管（ドレイン部）
４１０・・ボディ
４１２・・通路
【図１】
2004150122.tif 000003
【図２】
2004150122.tif 000004
【図３】
2004150122.tif 000005
【図４】
2004150122.tif 000006
【図５】
2004150122.tif 000007
【図６】
2004150122.tif 000008
【図７】
2004150122.tif 000009
【図８】
2004150122.tif 000010
【図９】
2004150122.tif 000011
【図１０】
2004150122.tif 000012